(57)【要約】【課題】利便性の向上が図れる画像表示装置を提供すること。【解決手段】画像表示装置としてのプロジェクタ１を構成する制御装置３０は、操作手段２０を構成する複数の操作キーのうち少なくともいずれかの操作キーと異なる記号とがそれぞれ関連付けられた関連情報を記憶する関連情報記憶部３５２と、操作手段２０にて記号の入力操作を可能とする記号入力モードに移行させるモード移行部３４２と、記号入力モード時において、複数の操作キーの配列状態を示すとともに複数の操作キーのうち少なくともいずれかの操作キーに対応する各画像に異なる記号がそれぞれ付された対応画像を画像投射部１０に表示させる対応画像表示制御部３４３と、記号入力モード時において、関連情報に基づいて、入力操作された操作キーに関連付けられた記号を認識する第２操作認識部３４１２とを備える。【選択図】図１
2008146444.tif 000002
【特許請求の範囲】
【請求項１】
画像情報に基づく画像を表示する表示手段と、入力操作可能とする複数の操作キーを有する操作手段と、前記表示手段および前記操作手段を制御する制御手段とを備えた画像表示装置であって、
前記制御手段は、
前記複数の操作キーのうち少なくともいずれかの操作キーと異なる記号とがそれぞれ関連付けられた関連情報を記憶する関連情報記憶部と、
前記操作手段にて記号の入力操作を可能とする記号入力モードに移行させるモード移行部と、
前記記号入力モード時において、前記複数の操作キーの配列状態を示すとともに前記複数の操作キーのうち少なくともいずれかの操作キーに対応する各画像に前記異なる記号がそれぞれ付された対応画像を前記表示手段に表示させる対応画像表示制御部と、
前記記号入力モード時において、前記関連情報に基づいて、入力操作された前記操作キーに関連付けられた記号を認識する入力記号認識部とを備えている
ことを特徴とする画像表示装置。
【請求項２】
請求項１に記載の画像表示装置において、
前記記号入力モードは、前記入力記号認識部にて認識された記号を認証する際に用いられる認証用記号を設定するための認証用記号設定モードを含んで構成され、
前記制御手段は、
前記認証用記号設定モード時において、前記入力記号認識部にて認識された記号を認証用記号として記憶する認証用記号記憶部を備えている
ことを特徴とする画像表示装置。
【請求項３】
請求項１または請求項２に記載の画像表示装置において、
前記記号入力モードは、前記入力記号認識部にて認識された記号を認証するための記号認証モードを含んで構成され、
前記制御手段は、
前記入力記号認識部にて認識された記号を認証する際に用いられる認証用記号を記憶する認証用記号記憶部と、
前記記号認証モード時において、前記入力記号認識部にて認識された記号と前記認証用記号とを照合し、前記入力記号認識部にて認識された記号を認証する記号認証部と、
前記記号認証部にて認証された場合に、前記操作手段への前記記号の入力操作を除く他の入力操作に応じた処理の実行を禁止した機能ロック状態に設定する操作禁止部とを備えている
ことを特徴とする画像表示装置。
【請求項４】
請求項１から請求項３のいずれかに記載の画像表示装置において、
前記記号入力モードは、前記入力記号認識部にて認識された記号を認証するための記号認証モードを含んで構成され、
前記制御手段は、
前記入力記号認識部にて認識された記号を認証する際に用いられる認証用記号を記憶する認証用記号記憶部と、
前記記号認証モード時において、前記入力記号認識部にて認識された記号と前記認証用記号とを照合し、前記入力記号認識部にて認識された記号を認証する記号認証部と、
前記操作手段への前記記号の入力操作を除く他の入力操作に応じた処理の実行を禁止した機能ロック状態に設定されている際、前記記号認証部にて認証された場合に、前記機能ロック状態を解除して前記操作手段への入力操作に応じた処理の実行を許容する操作許容部とを備えている
ことを特徴とする画像表示装置。
【請求項５】
請求項１から請求項４のいずれかに記載の画像表示装置において、
前記操作手段は、当該画像表示装置に設けられた操作本体部と、当該画像表示装置を遠隔操作するための遠隔操作部とを備え、
前記制御手段は、
入力操作された前記操作手段が前記操作本体部または前記遠隔操作部であるかを判別する操作判別部を備え、
前記対応画像表示制御部は、
前記操作判別部にて入力操作された前記操作手段が前記操作本体部であると判別された場合に、前記記号入力モード時において、前記操作本体部を構成する前記複数の操作キーの配列状態を示すとともに前記複数の操作キーのうち少なくともいずれかの操作キーに対応する各画像に前記異なる記号がそれぞれ付された第１の対応画像を前記表示手段に表示させ、
前記操作判別部にて入力操作された前記操作手段が前記遠隔操作部であると判別された場合に、前記記号入力モード時において、前記遠隔操作部を構成する前記複数の操作キーの配列状態を示すとともに前記複数の操作キーのうち少なくともいずれかの操作キーに対応する各画像に前記異なる記号がそれぞれ付された第２の対応画像を前記表示手段に表示させる
ことを特徴とする画像表示装置。
【請求項６】
画像情報に基づく画像を表示する表示手段と、入力操作可能とする複数の操作キーを有する操作手段と、前記表示手段および前記操作手段を制御する制御手段とを備えた画像表示装置の制御方法であって、
前記制御手段が、
前記操作手段にて記号を入力可能とする記号入力モードに移行させるモード移行ステップと、
前記記号入力モード時において、前記複数の操作キーの配列状態を示すとともに前記複数の操作キーのうち少なくともいずれかの操作キーに対応する各画像に異なる記号がそれぞれ付された対応画像を前記表示手段に表示させる対応画像表示ステップと、
前記記号入力モード時において、前記複数の操作キーのうち少なくともいずれかの操作キーと前記異なる記号とがそれぞれ関連付けられた関連情報に基づいて、入力操作された前記操作キーに関連付けられた記号を認識する入力記号認識ステップとを実行する
ことを特徴とする制御方法。
【請求項７】
画像情報に基づく画像を表示する表示手段と、入力操作可能とする複数の操作キーを有する操作手段と、前記表示手段および前記操作手段を制御する制御手段とを備えた画像表示装置の制御プログラムであって、
請求項６に記載の制御方法を前記制御手段に実行させることを特徴とする制御プログラム。
【請求項８】
請求項７に記載の制御プログラムがコンピュータに読取可能に記録されていることを特徴とする制御プログラムを記録した記録媒体。
【発明の詳細な説明】
【技術分野】
【０００１】
本発明は、画像表示装置、制御方法、制御プログラム、および記録媒体に関する。
【背景技術】
【０００２】
従来、装置本体に設けられた操作本体部（本体操作パネル）や、遠隔操作可能とする遠隔操作部（リモートコントローラ）等の操作手段を備え、利用者による操作手段への入力操作により、種々の機能を実施するプロジェクタ等の画像表示装置が知られている。
このような画像表示装置では、他人による該画像表示装置の不正使用を防止するために、操作手段への入力操作に応じた処理の実行を禁止した機能ロック状態に設定する方法が数多く提案されている。例えば、操作手段を用いて、記号（例えば、番号）を入力させ、入力された番号が予め設定されていた暗証番号と同一であれば、機能ロック状態に設定する方法が知られている。
以上のように、操作手段を用いて、番号を入力する場合には、操作手段に番号入力専用のテンキーが必要となるが、近年の多機能化による操作手段における操作キーの数の増加を考慮して、他の機能を実施させるための操作キーと番号を入力するための操作キーとを共通の操作キーとし、操作キーの数を抑えている。
このように、他の機能を実施させるための操作キーと番号を入力するための操作キーとを共通の操作キーとした場合には、操作手段において、操作キーの種別を利用者に認識させるために、操作キーの近傍に種別に対応する機能と番号とを記載しておく必要がある。しかしながら、上述したように近年の多機能化による操作キーの数の増加により、操作キーの近傍に記載された機能や番号を小さくする必要があり、操作キーの種別を利用者に認識させることが難しいものである。
【０００３】
ところで、リモコン装置に設けられているボタンに相当するボタン画像を表示装置の画面に表示し、カーソル操作により希望のボタン画像を選択することで、該ボタン画像に対応した機能設定や操作を可能とする技術が提案されている（例えば、特許文献１参照）。
特許文献１に記載の技術を用いれば、操作手段の構成（操作キーの画像、操作キーの種別（機能および番号））を表示装置の画面に表示することで、操作キーの種別を利用者に認識させることができる。
【０００４】
【特許文献１】特開２００１−３２６８２９号公報
【発明の開示】
【発明が解決しようとする課題】
【０００５】
しかしながら、特許文献１に記載の技術では、利用者は、表示された画像を確認しながらカーソル操作により所望の操作キーを選択することとなるため、例えば、機能ロック状態に設定する際に番号を入力するような場合には、他人に暗証番号が知られてしまうこととなり、利便性の向上が図れない、という問題がある。
【０００６】
本発明の目的は、利便性の向上が図れる画像表示装置、制御方法、制御プログラム、および記録媒体を提供することにある。
【課題を解決するための手段】
【０００７】
本発明の画像表示装置は、画像情報に基づく画像を表示する表示手段と、入力操作可能とする複数の操作キーを有する操作手段と、前記表示手段および前記操作手段を制御する制御手段とを備えた画像表示装置であって、前記制御手段は、前記複数の操作キーのうち少なくともいずれかの操作キーと異なる記号とがそれぞれ関連付けられた関連情報を記憶する関連情報記憶部と、前記操作手段にて記号の入力操作を可能とする記号入力モードに移行させるモード移行部と、前記記号入力モード時において、前記複数の操作キーの配列状態を示すとともに前記複数の操作キーのうち少なくともいずれかの操作キーに対応する各画像に前記異なる記号がそれぞれ付された対応画像を前記表示手段に表示させる対応画像表示制御部と、前記記号入力モード時において、前記関連情報に基づいて、入力操作された前記操作キーに関連付けられた記号を認識する入力記号認識部とを備えていることを特徴とする。
ここで、記号としては、例えば、番号の他、ひらがな、カタカナ、英字、「＄」，「％」等の特殊文字等が例示できる。
【０００８】
本発明では、画像表示装置を構成する制御手段は、関連情報記憶部、モード移行部、対応画像表示制御部、および入力記号認識部を備えているので、以下に示すように、利用者に、操作手段を用いて、記号を入力させることができる。
先ず、モード移行部は、例えば利用者による操作手段への「記号の入力操作を可能とする記号入力モードに移行させる」旨の入力操作により、画像表示装置を通常駆動する通常モードから記号入力モードに移行させる（モード移行ステップ）。
次に、対応画像表示制御部は、操作手段を構成する複数の操作キーの配列状態を示すとともに複数の操作キーのうち少なくともいずれかの操作キーに対応する各画像に異なる記号がそれぞれ付された対応画像を表示手段に表示させる（対応画像表示ステップ）。対応画像の表示により、利用者は、対応画像を確認しながら、操作手段において、どの操作キーの入力操作することで所望の記号が入力できるかを認識できる。
次に、入力記号認識部は、利用者による複数の操作キーの入力操作状態を監視し、入力操作が実施された場合に、関連情報記憶部に記憶された関連情報を読み出し、関連情報に基づいて、入力操作された操作キーに関連付けられた記号を認識する（入力記号認識ステップ）。
【０００９】
以上のように、制御手段は、対応画像を表示手段に表示させて利用者に記号の入力を促し、利用者により入力操作された操作キーから入力された記号を認識できる。このことにより、例えば、機能ロック状態に設定する際に記号を入力するような場合であっても、利用者に操作手段へ入力操作させる構成であるので、他人に暗証番号等が知られてしまうことがなく、利便性の向上が図れる。また、操作手段において、操作キーの種別として、機能の他、記号を記載する必要がなく、外観上、簡素な構成とし、利用者にとって操作しやすい操作手段を実現できる。
【００１０】
本発明の画像表示装置では、前記記号入力モードは、前記入力記号認識部にて認識された記号を認証する際に用いられる認証用記号を設定するための認証用記号設定モードを含んで構成され、前記制御手段は、前記認証用記号設定モード時において、前記入力記号認識部にて認識された記号を認証用記号として記憶する認証用記号記憶部を備えていることが好ましい。
本発明では、モード移行部は、例えば利用者による操作手段への「認証用記号（例えば、暗証番号）を設定するための認証用記号設定モードに移行させる」旨の入力操作により、画像表示装置を通常モードから認証用記号設定モードに移行させる（モード移行ステップ）。そして、制御手段は、認証用記号設定モード時において、上述した対応画像表示ステップおよび入力記号認識ステップを実施し、入力記号認識部にて認識された記号（利用者により入力された記号）を認証用記号として記憶する認証用記号記憶部を備えている。このことにより、例えば、機能ロック状態に設定する際の認証用記号（例えば、暗証番号）を利用者独自の認証用記号として認証用記号記憶部に記憶させておくことができ、他人による画像表示装置の不正使用をより確実に防止できる。
【００１１】
本発明の画像表示装置では、前記記号入力モードは、前記入力記号認識部にて認識された記号を認証するための記号認証モードを含んで構成され、前記制御手段は、前記入力記号認識部にて認識された記号を認証する際に用いられる認証用記号を記憶する認証用記号記憶部と、前記記号認証モード時において、前記入力記号認識部にて認識された記号と前記認証用記号とを照合し、前記入力記号認識部にて認識された記号を認証する記号認証部と、前記記号認証部にて認証された場合に、前記操作手段への前記記号の入力操作を除く他の入力操作に応じた処理の実行を禁止した機能ロック状態に設定する操作禁止部とを備えていることが好ましい。
本発明では、モード移行部は、例えば利用者による操作手段への「入力された記号を認証するための記号認証モードに移行させる」旨の入力操作により、画像表示装置を通常モードから記号認証モードに移行させる（モード移行ステップ）。そして、制御手段は、認証用記号（例えば、暗証番号）を記憶する認証用記号記憶部と、記号認証モード時において、上述した対応画像表示ステップおよび入力記号認識ステップを実施し、入力記号認識部にて認識された記号（利用者により入力された記号）と認証用記号記憶部に記憶された認証用記号とを照合し、一致している場合に利用者により入力された記号を認証する記号認証部と、利用者により入力された記号が認証された後、操作手段への記号の入力操作を除く他の入力操作に応じた処理の実行を禁止した機能ロック状態に設定する操作禁止部とを備える。このことにより、認証用記号を把握している利用者のみが操作手段への入力操作により機能ロック状態に設定させることができ、不要に機能ロック状態に設定されることがなく、利便性の向上がさらに図れる。
【００１２】
本発明の画像表示装置では、前記記号入力モードは、前記入力記号認識部にて認識された記号を認証するための記号認証モードを含んで構成され、前記制御手段は、前記入力記号認識部にて認識された記号を認証する際に用いられる認証用記号を記憶する認証用記号記憶部と、前記記号認証モード時において、前記入力記号認識部にて認識された記号と前記認証用記号とを照合し、前記入力記号認識部にて認識された記号を認証する記号認証部と、前記操作手段への前記記号の入力操作を除く他の入力操作に応じた処理の実行を禁止した機能ロック状態に設定されている際、前記記号認証部にて認証された場合に、前記機能ロック状態を解除して前記操作手段への入力操作に応じた処理の実行を許容する操作許容部とを備えていることが好ましい。
本発明では、モード移行部は、例えば利用者による操作手段への「入力された記号を認証するための記号認証モードに移行させる」旨の入力操作により、画像表示装置を通常モードから記号認証モードに移行させる（モード移行ステップ）。そして、制御手段は、認証用記号（例えば、暗証番号）を記憶する認証用記号記憶部と、記号認証モード時において、上述した対応画像表示ステップおよび入力記号認識ステップを実施し、入力記号認識部にて認識された記号（利用者により入力された記号）と認証用記号記憶部に記憶された認証用記号とを照合し、一致している場合に利用者により入力された記号を認証する記号認証部と、操作手段への記号の入力操作を除く他の入力操作に応じた処理の実行を禁止した機能ロック状態に設定されている際、利用者により入力された記号が認証された後、機能ロック状態を解除して操作手段への入力操作に応じた処理の実行を許容する操作許容部とを備えている。このことにより、記号認証部および操作許容部による各処理によって、他人による画像表示装置の不正使用を確実に防止できる。
【００１３】
本発明の画像表示装置では、前記操作手段は、当該画像表示装置に設けられた操作本体部と、当該画像表示装置を遠隔操作するための遠隔操作部とを備え、前記制御手段は、入力操作された前記操作手段が前記操作本体部または前記遠隔操作部であるかを判別する操作判別部を備え、前記対応画像表示制御部は、前記操作判別部にて入力操作された前記操作手段が前記操作本体部であると判別された場合に、前記記号入力モード時において、前記操作本体部を構成する前記複数の操作キーの配列状態を示すとともに前記複数の操作キーのうち少なくともいずれかの操作キーに対応する各画像に前記異なる記号がそれぞれ付された第１の対応画像を前記表示手段に表示させ、前記操作判別部にて入力操作された前記操作手段が前記遠隔操作部であると判別された場合に、前記記号入力モード時において、前記遠隔操作部を構成する前記複数の操作キーの配列状態を示すとともに前記複数の操作キーのうち少なくともいずれかの操作キーに対応する各画像に前記異なる記号がそれぞれ付された第２の対応画像を前記表示手段に表示させることが好ましい。
【００１４】
本発明では、制御手段は、入力操作された操作手段が操作本体部（本体操作パネル）または遠隔操作部（リモートコントローラ）であるかを判別する操作判別部を備える。そして、対応画像表示制御部は、操作判別部にて入力操作された操作手段が操作本体部であると判別された場合に、記号入力モード時において、第１の対応画像を表示手段に表示させる。また、対応画像表示制御部は、操作判別部にて入力操作された操作手段が遠隔操作部であると判別された場合に、記号入力モード時において、第２の対応画像を表示手段に表示させる。すなわち、制御手段は、利用者により入力操作されていた操作手段（操作本体部、遠隔操作部）に関する第１の対応画像または第２の対応画像を表示させる。このことにより、利用者は、記号の入力操作をしようとしている操作手段（操作本体部、遠隔操作部）に関する対応画像（第１の対応画像、第２の対応画像）のみを確認でき、記号の入力操作をより容易に実施できる。
【００１５】
本発明の制御方法は、画像情報に基づく画像を表示する表示手段と、入力操作可能とする複数の操作キーを有する操作手段と、前記表示手段および前記操作手段を制御する制御手段とを備えた画像表示装置の制御方法であって、前記制御手段が、前記操作手段にて記号を入力可能とする記号入力モードに移行させるモード移行ステップと、前記記号入力モード時において、前記複数の操作キーの配列状態を示すとともに前記複数の操作キーのうち少なくともいずれかの操作キーに対応する各画像に異なる記号がそれぞれ付された対応画像を前記表示手段に表示させる対応画像表示ステップと、前記記号入力モード時において、前記複数の操作キーのうち少なくともいずれかの操作キーと前記異なる記号とがそれぞれ関連付けられた関連情報に基づいて、入力操作された前記操作キーに関連付けられた記号を認識する入力記号認識ステップとを実行することを特徴とする。
本発明の制御方法は、上述した画像表示装置によって実施されるものであるので、上述した画像表示装置と同様の作用および効果を享受できる。
【００１６】
本発明の制御プログラムは、画像情報に基づく画像を表示する表示手段と、入力操作可能とする複数の操作キーを有する操作手段と、前記表示手段および前記操作手段を制御する制御手段とを備えた画像表示装置の制御プログラムであって、上述した制御方法を前記制御手段に実行させることを特徴とする。
【００１７】
本発明の記録媒体は、上述した制御プログラムがコンピュータに読取可能に記録されていることを特徴とする。
【００１８】
以上のような構成の制御プログラムおよび記録媒体は、上述した制御方法を実施するために利用されるので、上述した制御方法と同様の作用および効果を享受できる。
また、上述した制御プログラムを記録媒体に記録させるので、プログラムの取り扱いが容易となる。
【発明を実施するための最良の形態】
【００１９】
[第１実施形態]
以下、本発明の第１実施形態を図面に基づいて説明する。
〔プロジェクタの構成〕
図１は、第１実施形態におけるプロジェクタ１の構成を示すブロック図である。
プロジェクタ１は、入力した画像情報（画像信号）に対して所定の画像処理を施し、画像処理を施した画像情報に基づいて、光源から射出された光束を光学的に処理して画像光を形成し、スクリーン（図示略）に拡大投射する。このプロジェクタ１は、図１に示すように、表示手段としての画像投射部１０と、操作手段２０と、制御手段としての制御装置３０とで大略構成されている。
【００２０】
画像投射部１０は、制御装置３０による制御の下、画像光を形成してスクリーンに拡大投射する。この画像投射部１０は、図１に示すように、光源装置１１と、光変調素子としての液晶ライトバルブ１２と、投射光学系１３等を備える。
光源装置１１は、制御装置３０による制御の下、光束を液晶ライトバルブ１２に向けて射出する。この光源装置１１は、光源ランプ１１１と、光源駆動部１１２とを備える。
【００２１】
光源ランプ１１１は、超高圧水銀ランプにて構成されている。なお、超高圧水銀ランプに限らず、メタルハライドランプ、キセノンランプ等の他の放電発光型の光源ランプを採用してもよい。さらに、放電発光型の光源ランプに限らず、発光ダイオード、レーザダイオード、有機ＥＬ(Electro Luminescence)素子、シリコン発光素子等の各種固体発光素子を採用してもよい。
光源駆動部１１２は、制御装置３０による制御の下、所定の駆動電圧で光源ランプ１１１を駆動する。
【００２２】
液晶ライトバルブ１２は、透過型の液晶パネルであり、制御装置３０からの駆動信号に基づいて、液晶セル（図示略）に封入された液晶分子の配列を変化させ、光源ランプ１１１から射出された光束を、透過若しくは遮断することにより駆動信号に応じた画像光を投射光学系１３に射出する。
投射光学系１３は、液晶ライトバルブ１２から射出された画像光をスクリーンに向けて拡大投射する。
【００２３】
なお、図示は省略したが、プロジェクタ１は、ＲＧＢの３色に対応する３枚の液晶ライトバルブ１２を備えている。また、光源装置１１は、光源光を３色の光に分離する色分離光学系を備えている。さらに、投射光学系１３は、３色の画像光を合成してカラー画像を表す画像光を生成する色合成光学系を有している。なお、このような光学系の構成については、種々の一般的なプロジェクタの光学系の構成が利用可能である。
【００２４】
操作手段２０は、利用者による操作を認識して所定の操作信号を制御装置３０に出力する。この操作手段２０は、図１に示すように、操作本体部としての本体操作パネル２１と、遠隔操作部としてのリモートコントローラ２２とで構成されている。
図２は、本体操作パネル２１の各操作キー２１０の構成を示す図である。
本体操作パネル２１は、プロジェクタ１の図示しない外装筺体に露出して設けられ、図２に示すように、利用者により操作可能な複数の操作キー２１０を備える。これら操作キー２１０は、図２に示すように、プロジェクタ１の電源ＯＮ／ＯＦＦを実施するための電源ボタン２１０Ａ、画像の入力を切り換えるための入力切換ボタン２１０Ｂ、メニュー画面を表示させるためのメニューボタン２１０Ｃ等で構成されている。
また、本体操作パネル２１には、図２に示すように、各操作キー２１０の上方側に、各操作キー２１０の種別（機能）を示す情報２１１（電源ボタン２１０Ａには「Power」、入力切換ボタン２１０Ｂには「Source」、メニューボタン２１０Ｃには「Menu」等）が記載されている。
そして、本体操作パネル２１は、操作キー２１０が押下されると、当該操作キーに応じた操作信号を制御装置３０に出力する。
【００２５】
図３は、リモートコントローラ２２の各操作キー２２０の構成を示す図である。
リモートコントローラ２２は、プロジェクタ１を遠隔操作するための操作部であり、図３に示すように、本体操作パネル２１と略同様の操作キー２２０を備える。すなわち、操作キー２２０は、図３に示すように、電源ボタン２２０Ａ、入力切換ボタン２２０Ｂ、メニューボタン２２０Ｃ等で構成されている。
また、リモートコントローラ２２には、図３に示すように、本体操作パネル２１と同様に、各操作キー２２０の上方側に、各操作キー２２０の種別（機能）を示す情報２２１が記載されている。
そして、リモートコントローラ２２は、操作キー２２０が押下されると、当該操作キーに応じた操作信号を赤外線により制御装置３０に出力（送信）する。
【００２６】
制御装置３０は、ＣＰＵ(Central Processing Unit)等の主制御部３４を含んで構成され、メモリ３５に記憶された制御プログラムにしたがって、プロジェクタ１全体を制御する。なお、制御装置３０の構成としては、後述する記号入力モード時での処理機能を主に説明し、その他の機能については説明を省略する。この制御装置３０は、主制御部３４およびメモリ３５の他、操作受付部３１と、信号処理部３２と、パネル駆動制御部３３等を備える。これら各構成要素３１〜３５は、図示しないバスにより接続され、必要な情報が伝送可能に構成されている。
【００２７】
操作受付部３１は、操作手段２０から出力された操作信号を入力し、主制御部３４にて読取可能なデジタル信号に変換して主制御部３４に出力する。この操作受付部３１は、図１に示すように、第１受付部３１１と、第２受付部３１２とを備える。
第１受付部３１１は、本体操作パネル２１から出力された操作信号を入力し、主制御部３４にて読取可能なデジタル信号に変換して主制御部３４に出力する部分である。
第２受付部３１２は、リモートコントローラ２２から送信された赤外線の操作信号を受信し、主制御部３４にて読取可能なデジタル信号に変換して主制御部３４に出力する部分である。
【００２８】
信号処理部３２は、外部機器から入力した画像信号（画像情報）を、パネル駆動制御部３３にて処理可能なデジタル信号（デジタル画像データ）に変換してパネル駆動制御部３３に出力する。
パネル駆動制御部３３は、主制御部３４からの制御信号に応じて、液晶ライトバルブ１２の駆動制御を実施する部分である。より具体的に、パネル駆動制御部３３は、信号処理部３２を介して入力したデジタル画像データに対して所定の画像データ処理を施し、画像データ処理を施したデジタル画像データ（以下、処理済画像データ）に応じた駆動信号を液晶ライトバルブ１２に出力することで処理済画像データに基づく画像（画像光）を液晶ライトバルブ１２に形成させる。このパネル駆動制御部３３は、図１に示すように、画像データ処理部３３１と、パネル駆動部３３２等を備える。
【００２９】
画像データ処理部３３１は、信号処理部３２から出力されたデジタル画像データに対して、解像度を液晶ライトバルブ１２の解像度（画素数）に合わせる解像度変換処理、拡大・縮小等の画像サイズ調整処理、輝度調整処理、コントラスト調整処理、シャープネス調整処理、メニューやメッセージ等のＯＳＤ（オンスクリーンディスプレイ）画像を合成する処理、台形歪補正処理、ガンマ補正処理等の各種の画像データ処理を実施する。なお、具体的な図示は省略したが、画像データ処理部３３１は、上述した画像データ処理を実施する際の画像メモリおよびＯＳＤメモリを有している。前記画像メモリは、入力した画像データをバッファリングする部分であり、例えば、１画面分の画像データを全て記憶するフレームバッファや、水平方向の１ライン分の走査データを記憶するラインバッファ等を採用できる。前記ＯＳＤメモリは、メニューやメッセージ等のＯＳＤ画像に関するＯＳＤ画像情報を記憶する部分である。
【００３０】
パネル駆動部３３２は、画像データ処理部３３１にて画像データ処理が施された処理済画像データから液晶ライトバルブ１２を駆動するための駆動信号を生成し、液晶ライトバルブ１２に駆動信号を出力することで、液晶ライトバルブ１２に処理済画像データに基づく画像（画像光）を形成させる。
【００３１】
主制御部３４は、メモリ３５に記憶された制御プログラムにしたがって、各構成要素３１〜３３に所定の制御信号を出力し、所定の処理を実行させる。この主制御部３４は、図１に示すように、入力操作認識部３４１と、モード移行部３４２と、対応画像表示制御部３４３と、記号認証部３４４と、操作禁止部３４５と、操作許容部３４６等を備える。
入力操作認識部３４１は、操作受付部３１から出力される信号に基づいて、利用者による操作手段２０の入力操作を認識する。この入力操作認識部３４１は、図１に示すように、第１操作認識部３４１１と、入力記号認識部としての第２操作認識部３４１２とを備える。
第１操作認識部３４１１は、操作受付部３１から出力される信号に基づいて、利用者による操作手段２０の入力操作を認識する。そして、第１操作認識部３４１１は、認識した入力操作に応じた種々の処理を実行する。例えば、第１操作認識部３４１１は、利用者による操作手段２０の入力操作が電源ボタン２１０Ａの操作であると認識した場合には、プロジェクタ１の電源のＯＮあるいはＯＦＦの処理を実施する。また、例えば、第１操作認識部３４１１は、利用者による操作手段２０の入力操作が入力切換ボタン２１０Ｂの入力操作であると認識した場合には、画像信号の入力を切り換える処理を実施する。さらに、例えば、第１操作認識部３４１１は、利用者による操作手段２０の入力操作がメニューボタン２１０Ｃの入力操作であると認識した場合には、パネル駆動制御部３３に所定の制御信号を出力して、メニュー画面を表示させる処理を実施する。また、例えば、第１操作認識部３４１１は、メニュー画面が表示され、利用者による操作手段２０の操作により、メニュー画面上の所定の項目（例えば、後述する記号入力モードへ移行するための項目）が選択された旨を認識する。
【００３２】
第２操作認識部３４１２は、後述する記号入力モード時において、メモリ３５に記憶された後述する関連情報に基づいて、操作受付部３１から出力される信号から入力された記号（本実施形態では、番号）を認識する。
【００３３】
モード移行部３４２は、第１操作認識部３４１１にて記号入力モードへ移行するための項目が選択された旨が認識された場合に、プロジェクタ１を通常駆動する通常モードから、操作手段２０にて記号（本実施形態では、番号（数字））を入力可能とする記号入力モードに移行させる。本実施形態では、記号入力モードは、入力された番号を認証する際に用いられる暗証番号（認証用記号）を設定するための認証用記号設定モードと、入力された番号を認証するための記号認証モードとで構成されている。すなわち、本実施形態では、モード移行部３４２は、第１操作認識部３４１１にて認証用記号設定モードへ移行するための項目が選択された旨が認識された場合に、通常モードから認証用記号設定モードに移行させる。また、モード移行部３４２は、第１操作認識部３４１１にて記号認証モードへ移行するための項目が選択された旨が認識された場合に、通常モードから記号認証モードに移行させる。
【００３４】
対応画像表示制御部３４３は、モード移行部３４２により記号入力モードに移行された際に、パネル駆動制御部３３に所定の制御信号を出力し、メモリ３５に記憶された後述する対応画像情報に基づく対応画像を表示させる。すなわち、パネル駆動制御部３３は、対応画像表示制御部３４３からの制御信号に応じて、メモリ３５に記憶された対応画像情報を読み出し、対応画像情報に基づく対応画像（画像光）を液晶ライトバルブ１２に形成させる。そして、プロジェクタ１から拡大投射され、スクリーン上に、対応画像が表示される。
【００３５】
記号認証部３４４は、モード移行部３４２により移行された記号認証モード時において、第２操作認識部３４１２にて所定の桁数の番号が認識された場合（利用者により所定の桁数の番号が入力された場合）に、前記所定の桁数の番号と、メモリ３５に記憶された認証用記号（暗証番号）とを照合して、前記所定の桁数の番号を認証する。
操作禁止部３４５は、記号認証部３４４にて前記所定の桁数の番号が認証された場合に、操作手段２０への番号の入力操作を除く他の入力操作に応じた処理の実行（第１操作認識部３４１１による操作手段２０への入力操作に応じた種々の処理の実行）を禁止する。換言すれば、操作禁止部３４５は、上記の場合に、利用者が操作手段２０に入力操作を実施した場合であっても番号の入力機能を除く他の機能を実施させず、プロジェクタ１の不正使用防止のため機能をロックした状態（以下、機能ロック状態）に設定する。
【００３６】
操作許容部３４６は、操作禁止部３４５により機能ロック状態に設定された後、記号認証部３４４にて再度、前記所定の桁数の番号が認証された場合に、第１操作認識部３４１１による操作手段２０への入力操作に応じた種々の処理の実行を許容する。換言すれば、操作許容部３４６は、上記の場合に、機能ロック状態を解除し、利用者が操作手段２０に入力操作を実施した場合に操作キー２１０に対応した機能の実施を可能な状態に設定する。
【００３７】
メモリ３５は、制御プログラムの他、対応画像情報、関連情報、および暗証番号等を記憶する。そして、メモリ３５は、対応画像情報を記憶する対応画像情報記憶部３５１と、関連情報を記憶する関連情報記憶部３５２と、暗証番号を記憶する認証用記号記憶部３５３等を備える。
図４は、対応画像情報記憶部３５１に記憶された対応画像情報に基づく対応画像Ｆの一例を示す図である。
対応画像情報記憶部３５１が記憶する対応画像情報は、主制御部３４による制御の下、表示される対応画像Ｆに関する情報である。
ここで、対応画像Ｆとしては、例えば、図４に示すように、本体操作パネル２１に関する画像Ｆ１と、リモートコントローラ２２に関する画像Ｆ２と、番号の入力状態を示す画像Ｆ３とで構成されている。
【００３８】
本体操作パネル２１に関する画像Ｆ１は、本体操作パネル２１を構成する複数の操作キー２１０の配列状態を示すとともに、全ての操作キー２１０（１０個の操作キー２１０）に対応する各画像に異なる番号（「０」〜「９」の番号）がそれぞれ付された画像である。例えば、図４では、全ての操作キー２１０に対応する各画像において、電源ボタン２１０Ａに対応する画像に番号「０」が付され、入力切換ボタン２１０Ｂに対応する画像に番号「１」が付され、メニューボタン２１０Ｃに対応する画像に番号「６」が付され、その他の７個の操作キー２１０にそれぞれ番号「２」〜「４」、「５」、「７」〜「９」が付されている。
すなわち、利用者は、対応画像Ｆ中の画像Ｆ１を確認することで、本体操作パネル２１において、どの操作キー２１０を押下すれば、所望の番号を入力できるかを認識できる。
【００３９】
リモートコントローラ２２に関する画像Ｆ２は、リモートコントローラ２２を構成する複数の操作キー２２０の配列状態を示すとともに、全ての操作キー２２０（１８個の操作キー２２０）のうち１０個の操作キー２２０に対応する各画像に異なる番号（「０」〜「９」の番号）がそれぞれ付された画像である。例えば、図４では、全ての操作キー２２０における略中央部分に位置する１０個の操作キー２２０において、メニューボタン２２０Ｃに対応する画像に番号「７」が付され、その他の９個の操作キー２２０にそれぞれ番号「０」〜「６」、「８」、「９」が付されている。
すなわち、利用者は、対応画像Ｆ中の画像Ｆ２を確認することで、リモートコントローラ２２において、どの操作キー２２０を押下すれば、所望の番号を入力できるかを認識できる。
以上のように、リモートコントローラ２２を構成する複数の操作キー２２０において、略中央部分に位置する１０個の操作キー２２０が番号（記号）の入力を可能とする番号入力可能操作キー群２２０１（図３）となり、その他の８個の操作キー２２０が番号（記号）の入力を不可能とする番号入力不可能操作キー群２２０２（図３）となる。
【００４０】
番号の入力状態を示す画像Ｆ３は、図４に示すように、第２操作認識部３４１２にて入力された番号が入力される毎に「＊」の画像を表示するための画像である。図４では、３桁の番号が入力され、３つの「＊」の画像を表示している場合を示している。
【００４１】
関連情報記憶部３５２が記憶する関連情報は、主制御部３４を構成する第２操作認識部３４１２にて用いられる情報である。より具体的に、関連情報は、本体操作パネル２１に関する関連情報と、リモートコントローラ２２に関する関連情報とで構成されている。
本体操作パネル２１に関する関連情報は、上述した本体操作パネル２１に関する画像Ｆ１と同様に、本体操作パネル２１を構成する全ての操作キー２１０（操作受付部３１から出力される各操作キー２１０に対応する各信号）と、異なる番号（「０」〜「９」の番号）とがそれぞれ関連付けられた情報である。例えば、全ての操作キー２１０において、電源ボタン２１０Ａ（操作受付部３１から出力される電源ボタン２１０Ａに対応する信号）に対して番号「０」、入力切換ボタン２１０Ｂ（操作受付部３１から出力される入力切換ボタン２１０Ｂに対応する信号）に対して番号「１」、メニューボタン２１０Ｃ（操作受付部３１から出力されるメニューボタン２１０Ｃに対応する信号）に対して番号「６」、その他の７個の操作キー２１０（操作受付部３１から出力される前記７個の操作キー２１０に対応する各信号）に対してそれぞれ番号「２」〜「４」、「５」、「７」〜「９」が関連付けられている。
【００４２】
リモートコントローラ２２に関する関連情報は、上述したリモートコントローラ２２に関する画像Ｆ２と同様に、リモートコントローラ２２を構成する全ての操作キー２２０のうち１０個の操作キー２２０（操作受付部３１から出力される前記９個の操作キー２２０に対応する各信号）と、異なる番号（「０」〜「９」の番号）とがそれぞれ関連付けられた情報である。例えば、全ての操作キー２２０における略中央部分に位置する１０個の操作キー２２０において、メニューボタン２２０Ｃ（操作受付部３１から出力されるメニューボタン２２０Ｃに対応する信号）に対して番号「７」、その他の９個の操作キー２２０（操作受付部３１から出力される前記９個の操作キー２２０に対応する各信号）に対してそれぞれ番号「０」〜「６」、「８」、「９」が関連付けられている。
認証用記号記憶部３５３が記憶する認証用記号は、認証用記号設定モード時において、利用者による操作手段２０の入力操作により、入力された番号（暗証番号）である。
【００４３】
〔プロジェクタの動作（制御方法）〕
次に、上述したプロジェクタ１の動作について図面を参照して説明する。
なお、以下では、プロジェクタ１の動作として、記号入力モードにおける動作を主に説明し、その他の動作については、説明を省略する。また、記号入力モードにおける動作として、認証用記号設定モードにおける動作、および記号認証モードにおける動作を順に説明する。
また、以下では、通常モードの状態から処理が実行されるものとする。
【００４４】
〔認証用記号設定モードにおける動作〕
図５は、認証用記号設定モードにおける動作を説明するフローチャートである。
主制御部３４は、利用者による操作手段２０の入力操作により、メニュー画面を表示させ、メニュー画面上の認証用記号設定モードへ移行するための項目が選択された旨を認識した場合に、メモリ３５に記憶された制御プログラムを読み出し、該制御プログラムにしたがって、以下の処理を実行する。
すなわち、モード移行部３４２は、プロジェクタ１を通常モードから認証用記号設定モードに移行させる（ステップＳ１：モード移行ステップ）。
ステップＳ１の後、対応画像表示制御部３４３は、パネル駆動制御部３３に所定の制御信号を出力し、メモリ３５に記憶された対応画像情報に基づく対応画像Ｆ（図４）を表示させる（ステップＳ２：対応画像表示ステップ）。
そして、利用者は、対応画像Ｆを確認しながら、操作手段２０への入力操作により、設定しようとする暗証番号に係る所望の番号を入力可能とする。
なお、以降の処理（ステップＳ３〜Ｓ７）において、対応画像Ｆの表示は、継続して実施されているものとする。
【００４５】
ステップＳ２の後、第２操作認識部３４１２は、利用者により操作手段２０の操作キー２１０，２２０が入力操作され、操作受付部３１からの信号を入力したか否かを常時、監視する（ステップＳ３）。
ステップＳ３において、第２操作認識部３４１２は、「Ｙ」と判定した場合、すなわち、操作受付部３１からの信号を入力したと判定した場合には、関連情報記憶部３５２に記憶された関連情報を読み出す。そして、第２操作認識部３４１２は、関連情報に基づいて、操作受付部３１からの信号（各操作キー２１０，２２０）に関連付けられた番号が有るか否かを判定する（ステップＳ４）。すなわち、ステップＳ４では、第２操作認識部３４１２は、利用者により本体操作パネル２１の各操作キー２１０のうちいずれかの操作キー２１０が押下され、番号が入力されたか否か、あるいは、利用者によりリモートコントローラ２２の番号入力可能操作キー群２２０１のうちいずれかの操作キー２２０が押下され、番号が入力されたか否かを判定している。
【００４６】
ステップＳ４において、第２操作認識部３４１２は、「Ｎ」と判定した場合、すなわち、操作受付部３１からの信号（各操作キー２１０，２２０）に関連付けられた番号がないと判定した場合には、再度、ステップＳ３に移行する。例えば、第２操作認識部３４１２は、利用者によりリモートコントローラ２２の番号入力不可能操作キー群２２０２のうちいずれかの操作キー２２０が押下された場合には、関連情報において、操作受付部３１からの信号（番号入力不可能操作キー群２２０２）に関連付けられた番号がないため、ステップＳ４において、「Ｎ」と判定する。
【００４７】
一方、ステップＳ４において、第２操作認識部３４１２は、「Ｙ」と判定した場合、すなわち、操作受付部３１からの信号（各操作キー２１０，２２０）に関連付けられた番号があると判定した場合には、関連情報に基づいて、入力された番号を認識する（ステップＳ５：入力記号認識ステップ）。そして、第２操作認識部３４１２は、認識した番号を例えばメモリ３５等に記憶させる。
また、対応画像表示制御部３４３は、ステップＳ５の後、パネル駆動制御部３３に所定の制御信号を出力し、対応画像Ｆ中の画像Ｆ３において、「＊」を１つ表示させる。
そして、利用者は、対応画像Ｆ中の画像Ｆ３の「＊」の数を確認することで、何桁の番号を入力したかを認識できる。
【００４８】
ステップＳ５の後、第２操作認識部３４１２は、例えばメモリ３５に記憶した番号を認識することで、全桁（例えば、５桁）の番号が入力されたか否かを判定する（ステップＳ６）。
ステップＳ６において、第２操作認識部３４１２は、「Ｎ」と判定した場合、すなわち、全桁の番号が入力されていないと判定した場合には、再度、ステップＳ３に移行し、全桁の番号が入力されるまでステップＳ３〜Ｓ５を繰り返し実施する。
一方、ステップＳ６において、第２操作認識部３４１２は、「Ｙ」と判定した場合、すなわち、全桁の番号が入力されたと判定した場合には、入力された全桁の番号を暗証番号（認証用記号）として認証用記号記憶部３５３に記憶させる（ステップＳ７）。
【００４９】
ステップＳ７の後、モード移行部３４２は、プロジェクタ１を認証用記号設定モードから通常モードに移行させる（ステップＳ８）。
【００５０】
〔記号認証モードにおける動作〕
図６は、記号認証モードにおける動作を説明するフローチャートである。
なお、以下では、上述したステップＳ１〜Ｓ８の処理により、認証用記号記憶部３５３に暗証番号が記憶されているものとする。
また、以下では、上述したステップＳ１〜Ｓ８と同様の処理については、同一の符号を付して説明を簡略化する。
主制御部３４は、利用者による操作手段２０の入力操作により、メニュー画面を表示させ、メニュー画面上の記号認証モードへ移行するための項目が選択された旨を認識した場合に、メモリ３５に記憶された制御プログラムを読み出し、該制御プログラムにしたがって、以下の処理を実行する。
すなわち、モード移行部３４２は、プロジェクタ１を通常モードから記号認証モードに移行させる（ステップＳ１１：モード移行ステップ）。
ステップＳ１１の後、対応画像表示制御部３４３は、上述したステップＳ２と同様に、対応画像Ｆ（図４）を表示させる。
なお、以降の処理において、ステップＳ１６を実施するまで、対応画像Ｆの表示は、継続して実施されているものとする。
【００５１】
ステップＳ２の後、第２操作認識部３４１２は、上述したステップＳ３〜Ｓ６と同様に、操作受付部３１からの信号を入力したか否かの判定、操作受付部３１からの信号（各操作キー２１０，２２０）に関連付けられた番号が有るか否かの判定、入力された番号の認識、および全桁の番号が入力されたか否かの判定を実施する。
なお、記号認証モード時におけるステップＳ３〜Ｓ６においては、利用者は、認証用記号設定モード時とは異なり、操作手段２０への入力操作により、従前に設定した暗証番号に係る番号を入力する。
【００５２】
ステップＳ６において、記号認証部３４４は、第２操作認識部３４１２により「Ｙ」と判定された場合、すなわち、全桁（例えば、５桁）の番号が入力されたと判定した場合には、認証用記号記憶部３５３に記憶された暗証番号を読み出す。そして、記号認証部３４４は、入力された全桁の番号（第２操作認識部３４１２にて認識され例えばメモリ３５に記憶された全桁の番号）と、暗証番号とを照合する（ステップＳ１２）。
ステップＳ１２において、記号認証部３４４は、入力された全桁の番号と、暗証番号とを照合した結果、「Ｎ」と判定した場合、すなわち、一致しないと判定した場合、例えばメモリ３５に記憶された全桁の番号を消去（ステップＳ１３）し、再度、ステップＳ３に移行する。
また、対応画像表示制御部３４３は、ステップＳ１３の後、パネル駆動制御部３３に所定の制御信号を出力し、対応画像Ｆ中の画像Ｆ３において、「＊」の表示を消去させる。
そして、利用者は、対応画像Ｆ中の画像Ｆ３の「＊」の表示が消去されたことを確認することで、入力した番号が暗証番号と異なるものであると認識し、再度、従前に設定した暗証番号に係る番号の入力を試みる。
【００５３】
一方、ステップＳ１２において、記号認証部３４４は、入力された全桁の番号と、暗証番号とを照合した結果、「Ｙ」と判定した場合、すなわち、一致していると判定した場合、入力された全桁の番号を認証する（ステップＳ１４）。
ステップＳ１４の後、操作禁止部３４５は、第１操作認識部３４１１による操作手段２０への入力操作に応じた種々の処理の実行を禁止し、機能ロック状態に設定する（ステップＳ１５）。
【００５４】
ステップＳ１５の後、主制御部３４は、上述したステップＳ３〜Ｓ６，Ｓ１２〜Ｓ１４と同様に、操作受付部３１からの信号を入力したか否かの判定、操作受付部３１からの信号（各操作キー２１０，２２０）に関連付けられた番号が有るか否かの判定、入力された番号の認識、全桁の番号が入力されたか否かの判定、入力された全桁の番号と暗証番号との照合、入力された全桁の番号と暗証番号とが一致しない場合に入力された全桁の番号の消去、および入力された全桁の番号と暗証番号とが一致した場合に入力された全桁の番号の認証を実施する。
【００５５】
ステップＳ１４の後、操作許容部３４６は、第１操作認識部３４１１による操作手段２０への入力操作に応じた種々の処理の実行を許容し、機能ロック状態を解除する（ステップＳ１６）。
ステップＳ１６の後、モード移行部３４２は、プロジェクタ１を記号認証モードから通常モードに移行させる（ステップＳ１７）。
【００５６】
上述した第１実施形態によれば、以下の効果がある。
本実施形態では、プロジェクタ１を構成する制御装置３０は、関連情報記憶部３５２、モード移行部３４２、対応画像表示制御部３４３、および第２操作認識部３４１２を備えているので、対応画像Ｆをスクリーン上に表示させて利用者に番号の入力を促し、利用者により入力操作された操作キー２１０，２２０から入力された番号を認識できる。このことにより、機能ロック状態に設定する際に番号を入力する場合、利用者に操作手段２０へ入力操作させる構成であるので、他人に暗証番号が知られてしまうことがなく、利便性の向上が図れる。また、操作手段２０において、操作キー２１０，２２０の種別を示す情報２１１，２２１として、機能の他、番号を記載する必要がなく、外観上、簡素な構成とし、利用者にとって操作しやすい操作手段２０を実現できる。
【００５７】
また、制御装置３０は、認証用記号設定モード時において、ステップＳ１〜Ｓ６を実施し、第２操作認識部３４１２にて認識された番号（利用者により入力された番号）を暗証番号として記憶する認証用記号記憶部３５３を備えている。このことにより、機能ロック状態に設定する際の暗証番号を利用者独自の暗証番号として認証用記号記憶部３５３に記憶させておくことができ、他人によるプロジェクタ１の不正使用をより確実に防止できる。
【００５８】
さらに、制御装置３０は、記号認証部３４４および操作禁止部３４５を備え、記号認証モード時において、ステップＳ２〜Ｓ６，Ｓ１２〜Ｓ１５を実施し、第２操作認識部３４１２にて認識された番号（利用者により入力された番号）が記号認証部３４４にて認証された場合に、操作禁止部３４５にて機能ロック状態に設定している。このことにより、暗証番号を把握している利用者のみが操作手段２０への入力操作により機能ロック状態に設定させることができ、不要に機能ロック状態に設定されることがなく、利便性の向上がさらに図れる。
【００５９】
また、制御装置３０は、操作許容部３４６を備え、記号認証モード時において、機能ロック状態に設定されている際、ステップＳ３〜Ｓ６，Ｓ１２〜Ｓ１４，Ｓ１６を実施し、第２操作認識部３４１２にて認識された番号（利用者により入力された番号）が記号認証部３４４にて再度、認証された場合に、操作許容部３４６にて機能ロック状態を解除している。このことにより、記号認証部３４４および操作許容部３４６の各処理によって、他人によるプロジェクタ１の不正使用をより確実に防止できる。
【００６０】
[第２実施形態]
次に、本発明の第２実施形態を図面に基づいて説明する。
以下の説明では、前記第１実施形態と同様の構造および同一部材には同一符号を付して、その詳細な説明は省略または簡略化する。
図７は、第２実施形態における画像表示装置としてのプロジェクタ１´の構成を示すブロック図である。
前記第１実施形態では、対応画像表示制御部３４３は、記号入力モード（認証用記号設定モード、記号認証モード）時において、対応画像情報記憶部３５１に記憶された対応画像情報に基づく対応画像として、本体操作パネル２１に関する画像Ｆ１と、リモートコントローラ２２に関する画像Ｆ２との双方を含む対応画像Ｆを表示させている。
これに対して第２実施形態では、制御手段としての制御装置３０´を構成する主制御部３４´は、記号入力モード（認証用記号設定モード、記号認証モード）時において、各画像Ｆ１，Ｆ２のうち、利用者により入力操作された操作手段２０（本体操作パネル２１、リモートコントローラ２２）に関する画像のみを含む対応画像Ｆ´を表示させる。主制御部３４´の構成、メモリ３５´（対応画像情報記憶部３５１´）が記憶する対応画像情報が異なるのみであり、その他の構成は、前記第１実施形態と同様のものである。
【００６１】
図８は、対応画像情報記憶部３５１´に記憶された対応画像情報に基づく対応画像Ｆ´の一例を示す図である。
対応画像情報記憶部３５１´が記憶する対応画像情報は、本体操作パネル２１が入力操作された際に用いられる対応画像情報と、リモートコントローラ２２が入力操作された際に用いられる対応画像情報との２つで構成されている。
より具体的に、本体操作パネル２１が入力操作された際に用いられる対応画像情報は、例えば、図８（Ａ）に示すように、前記第１実施形態で説明した本体操作パネル２１に関する画像Ｆ１と、番号の入力状態を示す画像Ｆ３とで構成された第１の対応画像Ｆ´１に関する情報である。
また、リモートコントローラ２２が入力操作された際に用いられる対応画像情報は、例えば、図８（Ｂ）に示すように、前記第１実施形態で説明したリモートコントローラ２２に関する画像Ｆ２と、番号の入力状態を示す画像Ｆ３とで構成された第２の対応画像Ｆ´２に関する情報である。
【００６２】
主制御部３４´は、前記第１実施形態で説明した入力操作認識部３４１、モード移行部３４２、記号認証部３４４、操作禁止部３４５、および操作許容部３４６の他、対応画像表示制御部３４３´と、操作判別部３４７とを備える。
操作判別部３４７は、利用者により入力操作された操作手段２０が本体操作パネル２１であるか、または、リモートコントローラ２２であるかを判別する。より具体的に、操作判別部３４７は、利用者による入力操作が実施され、操作受付部３１を構成する第１受付部３１１からの信号を入力した場合に、利用者により入力操作された操作手段２０が本体操作パネル２１であると認識する。また、操作判別部３４７は、利用者による入力操作が実施され、操作受付部３１を構成する第２受付部３１２からの信号を入力した場合に、利用者により入力操作された操作手段２０がリモートコントローラ２２であると認識する。
【００６３】
対応画像表示制御部３４３´は、記号入力モード時において、操作判別部３４７にて利用者による入力された操作手段２０が本体操作パネル２１であると判別された場合に、パネル駆動制御部３３に所定の制御信号を出力し、メモリ３５´（対応画像情報記憶部３５１´）に記憶された２つの対応画像情報のうち一方の対応画像情報に基づく第１の対応画像Ｆ´１を表示させる。
また、対応画像表示制御部３４３´は、記号入力モード時において、操作判別部３４７にて利用者による入力された操作手段２０がリモートコントローラ２２であると判別された場合に、パネル駆動制御部３３に所定の制御信号を出力し、メモリ３５´（対応画像情報記憶部３５１´）に記憶された２つの対応画像情報のうち他方の対応画像情報に基づく第２の対応画像Ｆ´２を表示させる。
【００６４】
なお、本実施形態におけるプロジェクタ１´の動作は、前記第１実施形態で説明したプロジェクタ１の動作と略同様であり、異なる点は、以下の通りである。
すなわち、操作判別部３４７は、利用者によるメニューボタン２１０Ｃ，２２０Ｃの入力操作や、メニュー画面上の記号入力モード（認証用記号設定モード、記号認証モード）へ移行するための項目を選択する入力操作により、操作受付部３１（第１受付部３１１、第２受付部３１２）から出力される信号に基づいて、利用者により入力操作された操作手段２０が本体操作パネル２１であるか、または、リモートコントローラ２２であるかを判別する。
そして、ステップＳ２において、対応画像表示制御部３４３´は、パネル駆動制御部３３に所定の制御信号を出力し、操作判別部３４７にて判別された操作手段２０（本体操作パネル２１、リモートコントローラ２２）に応じた対応画像情報に基づく対応画像Ｆ´（第１の対応画像Ｆ´１、第２の対応画像Ｆ´２）を表示させる。
【００６５】
上述した第２実施形態においては、前記第１実施形態と同様の効果の他、以下の効果がある。
本実施形態では、制御装置３０´は、操作判別部３４７を備え、操作判別部３４７にて判別された操作手段２０に応じた対応画像Ｆ´をスクリーン上に表示させる。すなわち、制御装置３０´は、利用者により入力操作されていた操作手段２０（本体操作パネル２１、リモートコントローラ２２）に関する第１の対応画像Ｆ´１または第２の対応画像Ｆ´２をスクリーン上に表示させる。このことにより、利用者は、番号の入力操作をしようとしている操作手段２０（本体操作パネル２１、リモートコントローラ２２）に関する対応画像Ｆ´１，Ｆ´２のみを確認でき、番号の入力操作をより容易に実施できる。
【００６６】
なお、本発明は前述の実施形態に限定されるものではなく、本発明の目的を達成できる範囲での変形、改良等は本発明に含まれるものである。
前記各実施形態では、利用者に入力させる記号として、番号を採用していたが、これに限らず、ひらがな、カタカナ、英字、「＄」，「％」等の特殊文字等を採用しても構わない。
【００６７】
前記各実施形態では、メニュー画面上から所定の項目（記号入力モード（認証用記号設定モード、記号認証モード）へ移行するための項目）を利用者に選択させることで、通常モードから記号入力モードに移行していたが、これに限らず、操作手段２０に記号入力モードに移行させるための入力ボタンを設けておき、利用者による前記入力ボタンの操作により、記号入力モードに移行させる構成としても構わない。
【００６８】
前記各実施形態では、ステップＳ１１，Ｓ２〜Ｓ６，Ｓ１２〜Ｓ１５を実施することで、機能ロック状態に設定したが、これに限らず、操作手段２０に機能ロック状態に設定するための入力ボタンを設けておき、利用者による前記入力ボタンの操作により、機能ロック状態に設定させる構成としても構わない。
【００６９】
前記各実施形態において、図５、図６のフローは、適宜、順序を変更する等しても構わない。
例えば、ステップＳ２の処理をステップＳ３の後に実施するように構成しても構わない。
また、例えば、前記第２実施形態において、操作判別部３４７による操作手段２０（本体操作パネル２１、リモートコントローラ２２）の判別を、ステップＳ３の後に実施する（ステップＳ３による操作キー２１０，２２０の入力操作により操作判別部３４７が操作手段２０（本体操作パネル２１、リモートコントローラ２２）の判別を実施する）ように構成しても構わない。
さらに、例えば、ステップＳ１２において、入力された番号と暗証番号とを照合した結果、一致していないと判定された回数をカウントし、カウントした回数が所定の回数に達した際に、スクリーン上に警告（メッセージ）を表示させたり、電源をＯＦＦする等の処理を実施するように構成しても構わない。
【００７０】
前記各実施形態では、透過型の液晶パネル（液晶ライトバルブ１２）を採用していたが、これに限らず、反射型の液晶パネルを採用してもよく、あるいは、ディジタル・マイクロミラー・デバイス（テキサス・インスツルメント社の商標）を採用してもよい。
前記各実施形態では、液晶ライトバルブ１２を３枚設けた構成としていたが、これに限らず、１枚のみの液晶ライトバルブ１２を設ける構成、２枚の液晶ライトバルブ１２を設ける構成、４枚以上の液晶ライトバルブ１２を設ける構成としてもよい。
【００７１】
前記各実施形態では、画像表示装置としてフロント投射型のプロジェクタを採用していたが、これに限らず、操作手段２０を備えた画像表示装置であればよく、例えば、パーソナルコンピュータ、液晶テレビ、プラズマテレビ、有機ＥＬ(Electro Luminescence)ディスプレイ等の表示手段を備えたテレビ受信機、背面投射型のリアプロジェクタとしても構わない。
【００７２】
さらに、本発明を実施するための最良の構成等は、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質等を限定した記載は、本発明の理解を容易にするために例示的に記載したものであり、本発明を限定するものではないから、それらの形状、材質等の限定の一部若しくは全部の限定を外した部材の名称での記載は、本発明に含まれるものである。
【産業上の利用可能性】
【００７３】
本発明は、利便性の向上が図れるため、プレゼンテーションやホームシアタに用いられるプロジェクタ等の画像表示装置に利用できる。
【図面の簡単な説明】
【００７４】
【図１】第１実施形態におけるプロジェクタの構成を示すブロック図。
【図２】前記実施形態における本体操作パネルの各操作キーの構成を示す図。
【図３】前記実施形態におけるリモートコントローラの各操作キーの構成を示す図。
【図４】前記実施形態における対応画像情報記憶部に記憶された対応画像情報に基づく対応画像の一例を示す図。
【図５】前記実施形態における認証用記号設定モードにおける動作を説明するフローチャート。
【図６】前記実施形態における記号認証モードにおける動作を説明するフローチャート。
【図７】第２実施形態における画像表示装置としてのプロジェクタの構成を示すブロック図。
【図８】前記実施形態における対応画像情報記憶部に記憶された対応画像情報に基づく対応画像の一例を示す図。
【符号の説明】
【００７５】
１，１´・・・プロジェクタ（画像表示装置）、１０・・・画像投射部（表示手段）、２０・・・操作手段、２１・・・本体操作パネル（操作本体部）、２２・・・リモートコントローラ（遠隔操作部）、３０，３０´・・・制御装置（制御手段）、２１０，２２０・・・操作キー、３４２・・・モード移行部、３４３，３４３´・・・対応画像表示制御部、３４４・・・記号認証部、３４５・・・操作禁止部、３４６・・・操作許容部、３４７・・・操作判別部、３５２・・・関連情報記憶部、３５３・・・認証用記号記憶部、３４１２・・・第２操作認識部（入力記号認識部）、Ｆ，Ｆ´・・・対応画像、Ｆ´１・・・第１の対応画像、Ｆ´２・・・第２の対応画像、Ｓ１，Ｓ１１・・・モード移行ステップ、Ｓ２・・・対応画像表示ステップ、Ｓ５・・・入力記号認識ステップ。
【図１】
2008146444.tif 000003
【図２】
2008146444.tif 000004
【図３】
2008146444.tif 000005
【図４】
2008146444.tif 000006
【図５】
2008146444.tif 000007
【図６】
2008146444.tif 000008
【図７】
2008146444.tif 000009
【図８】
2008146444.tif 000010